(57)【要約】      （修正有）【課題】製造コストが安く手軽に植物等を育てることができ、その役目以外の付加価値（エコ活動等）に貢献可能な植物栽培セットを提供する。【解決手段】植物栽培セット１０は、植物の種子１５と、当該種子１５に栄養を供給するための吸水性又は吸湿性を有する多孔質体又は繊維体からなる基材１７で構成され、前記基材１７は、ペットボトル２のキャップ４内に取付可能である。キャップに種子を含む基材を取り付けて、水を基材に与えるだけで植物を栽培することが容易にできる。【選択図】図１
0003150530.tif 000002
【実用新案登録請求の範囲】
【請求項１】
植物の種子と、当該種子に栄養を供給するための吸水性又は吸湿性を有する多孔質体又は繊維体からなる基材で構成され、前記基材は、ペットボトルのキャップ内に取付可能であることを特徴とする植物栽培セット。
【請求項２】
ネック部を有するキャップ付き容器に取り付けられる植物栽培セットであって、
前記植物栽培セットは、
植物の種子と、
当該種子に栄養を供給するための吸水性又は吸湿性を有する多孔質体又は繊維体からなる基材と、を袋体に収容したものであって、
前記袋体は、前記容器のネック部に着脱可能に取り付けられることを特徴とする植物栽培セット。
【請求項３】
前記基材は、土壌分解性を有することを特徴とする請求項１、又は２に記載の植物栽培セット。
【請求項４】
前記基材は、紙、不織布或いはスポンジからなり、前記種子は、当該基材の内部に内包されていることを特徴とする請求項１乃至３のいずれか一項に記載の植物栽培セット。
【請求項５】
前記種子は、芽が出る一部分が前記基材から露出していることを特徴とする請求項４に記載の植物栽培セット。
【請求項６】
基材に水を注ぐためのスポイトを更に備えていることを特徴とする請求項１乃至５のいずれか一項に記載の植物栽培セット。
【請求項７】
キャップの下端部を保持する保持手段を備えた基体を更に具備し、当該基体の周縁は、前記キャップの周縁よりも外側に突出していることを特徴とする請求項１乃至６のいずれか一項に記載の植物栽培セット。
【請求項８】
キャップの周縁を弾性力により着脱可能に挟持する挟持部を少なくとも２つ以上備えた基体を更に備えていることを特徴とする請求項１乃至７のいずれか一項に記載の植物栽培セット。
【請求項９】
前記基体は、左右方向に湾曲しており、両端部に挟持部を備えていることを特徴とする請求項８に記載の植物栽培セット。
【請求項１０】
前記基体は、十字状に形成されており、それぞれの端部に挟持部を備えていることを特徴とする請求項８に記載の植物栽培セット。
【請求項１１】
前記種子と基材は袋体に密閉されていることを特徴とする請求項１乃至１０のいずれか一項に記載の植物栽培セット。
【考案の詳細な説明】
【技術分野】
【０００１】
本考案は、植物の種子を発芽・育成させる植物栽培セットに関し、例えば、ペットボトルのキャップを用いて植物を栽培する植物栽培セットに関する。
【背景技術】
【０００２】
製品の市場占有率を高めるために、例えば、ペットボトル製品に景品を付けて顧客に提供する手法がある。これにより顧客が景品を介して製品に対し注目する効果を有する。これらの景品として、たとえば、人気キャラクタのフィギアや芸能人が描かれたバッジなどがある。
【０００３】
一方、近年、プランターに草、花、野菜等の植物の種子や球根を植えて栽培するガーデニングが大変な人気となっている。これは、一般的に庭（土壌）に種子や球根を植えて植物を栽培する場合と比較して作業が容易であることが人気の一因になっていると考えられる。しかしながら、土壌を利用するため、汚れる、虫がいるなどの問題があり、もっと手軽に植物の栽培を楽しみたいとの強いニーズがある。
【０００４】
このようなニーズに対応したものとして、中空容器に植物の種子等を混合した培養土を収容した植物育成器が存在する（特許文献１参照）。
【先行技術文献】
【特許文献】
【０００５】
【特許文献１】実用新案登録第３０７３９１１号公報
【考案の概要】
【考案が解決しようとする課題】
【０００６】
ペットボトル製品はリサイクル可能であるものの、当該ペットボトル製品に付けられる景品はやがて廃棄されごみとなる。このような景品はリサイクル活動が活発な今日ではあまり有用な物とは言えない。
【０００７】
一方、特許文献１に記載の植物育成器は、中空容器を土中に突き刺すだけで良いが、土に刺さなければ利用ができず、ペットボトルの景品としては、特にコスト高となり適さない。
【０００８】
本考案は、以上の点等に鑑みてなされたものであり、栽培容器として容易に入手可能又は附随して流通するキャップに取り付けるだけで低コストで手軽に植物を育てることができ、その役目以外の付加価値（キャップ回収のエコ活動等）に貢献可能な植物栽培セットを提供することを目的とする。
【課題を解決するための手段】
【０００９】
上述した課題を解決するため、請求項１に記載の植物栽培セットは、植物の種子と、当該種子に栄養を供給するための吸水性又は吸湿性を有する多孔質体又は繊維体からなる基材で構成され、前記基材は、ペットボトルのキャップ内に取付可能であることを特徴とする。
【００１０】
また、請求項２に記載の植物栽培セットは、ネック部を有するキャップ付き容器に取り付けられる植物栽培セットであって、前記植物栽培セットは、植物の種子と、当該種子に栄養を供給するための吸水性又は吸湿性を有する多孔質体又は繊維体からなる基材と、を袋体に収容したものであって、前記袋体は、前記容器のネック部に着脱可能に取り付けられることを特徴とする。
【００１１】
また、前記基材は、土壌分解性を有していることが好ましい。この基材は、例えば、紙、不織布或いはスポンジからなり、前記種子は、当該基材の内部に内包されていても構わない。また、前記種子は、芽が出る一部分が前記基材から露出していることが好ましい。
【００１２】
また、基材に水を注ぐためのスポイトを更に備えていても構わない。
【００１３】
また、キャップの下部を保持する保持手段を備えた基体を更に具備し、当該基体の周縁は、前記キャップの周縁よりも外側に突出していても構わない。
【００１４】
また、キャップの周縁を弾性力により着脱可能に挟持する挟持部を少なくとも２つ以上備えた基体を更に備えていても構わない。この基体は、左右どちらか一方に湾曲しており、両端部に挟持部を備えている。また、前記基体は、十字状に形成されており、それぞれの端部に挟持部を備えていても構わない。
【００１５】
また、前記種子と基材は袋体に密閉されていることが好ましい。
【考案の効果】
【００１６】
本考案によれば、キャップに種子を含む基材を取り付けて、水を基材に与えるだけで植物を栽培することが容易にできる。その結果、いわゆる、土をいじる作業がなくなり、汚れや虫を嫌う人なども、大変手軽に植物の栽培を楽しめる。
【００１７】
また、基材は役目を終えた後、土に戻すことである期間を経て土へと還るため、自然循環型のシステムを構築することが可能である。
【図面の簡単な説明】
【００１８】
【図１】植物栽培セットの販売形態を示し、図１（ａ）は側面図、図１（ｂ）は袋体の正面図である。
【図２】植物栽培セットの栽培例を示し、図２（ａ）は植物栽培セットの取付例を示す図、図２（ｂ）は植物の栽培例を示す図である。
【図３】キャップを支える支持体の一例を示し、図３（ａ）は斜視図、図３（ｂ）は側面図である。
【図４】複数のキャップを連結する連結具の構成例を示し、図４（ａ）は第１の連結具の構成図、図４（ｂ）は第２の連結具の構成図、図４（ｃ）は第３の連結具の構成図である。
【図５】連結具にキャップを取付けた時の一例を示し、図５（ａ）は第１の連結具を用いた一例を示す図、図５（ｂ）は第２の連結具を用いた一例を示す図、図５（ｃ）は第３の連結具を用いた一例を示す図である。
【考案を実施するための形態】
【００１９】
以下、本考案の最良の実施形態を図１乃至図５を用いて説明する。図１は植物栽培セットの販売形態を示す図、図２は植物栽培セットの栽培例を示す図、図３はキャップを支える支持体の一例を示す図、図４は複数のキャップを連結する連結具の構成例を示す図、図５は連結具にキャップを取付けた時の一例を示す図である。
【００２０】
図１に示すように、本考案の植物栽培セット１０は、例えば、飲料水が収容されたＰＥＴ（ポリエチレンテレフタレート）製の飲料ボトル（以下、「ペットボトル２」と称する。）のネック部５に取り付けられて販売される。
【００２１】
ペットボトル２は、上部に開口を有する円筒形状のボトル３と、当該ボトル３の開口を密閉するためのキャップ４と、を備えている。ボトル３は、上方が内側に絞り込まれて形成されるネック部５を有し、図示しないが、当該ネック部５の外面にはねじ山が形成され、キャップ４と螺合する。
【００２２】
一方、キャップ４は、円形状の基体４ａと、一端に開口を有し、他端が当該基体４ａの外周から下方に垂説して形成されている側体４ｂと、を含んで構成される。また、図示しないが、当該側体４ｂの下方内側にはネック部５に形成されているねじ山と螺合するためのネジ山が形成されている。
【００２３】
植物栽培セット１０は、図１に示すように、袋体１２に収容される。図１（ｂ）に示すように、当該袋体１２は、円形状の開口１２ａを有しており、当該開口１２ａがペットボトル２のネック部５に挿入可能となっている。この開口１２ａによって袋体１２をネック部５にぶら下げることが可能である。
【００２４】
袋体１２には、草花など植物の種子１５と、当該種子１５に栄養を供給するための基材１７と、が内包されている。植物を栽培する際には、図２に示すように、ペットボトル２のキャップ４の内側に当該種子１５と基材１７を取り付ける。その結果、種子１５が発芽し、図２（ｂ）に示すように、植物９が育成される。
【００２５】
基材１７は、液体（水や植物活性剤）を所定量含有可能であって、例えば、吸水性又は吸湿性を有する多孔質体又は繊維体からなる材料により形成され、土壌分解性を有することが好ましい。ここで、吸水性を有するとは、液体としての水分を吸着する性質を有することを言い、吸湿性を有するとは、空気中の水分を吸着する性質を有することを言う。
【００２６】
材料としては、例えば、紙、ウレタン、ナイロン、天然海綿体などを用いて製造された再生紙パルプ、スポンジ、コットン、不織布等である。
【００２７】
形状は、円柱状、もしくは丸型であることが取り付け容易性や見栄えを考慮すれば好ましいものの、角柱などであってもキャップ４内に収まればその形状に限定されるものではない。
【００２８】
基材１７は、１種の材料で構成されたものは勿論のこと、２種以上の材料を積層して構成することができる。また、種子１５は、当該基材１７と別体に設けられても、基材１７に内包されても良い。また、図２（ａ）に示すように、基材１７に予め切れ目１７ａを入れておき、栽培時に種子１５を当該切れ目１７ａに挿入するようにしても構わない。また、種子１５が基材１７に内包される場合には、芽が上方へ伸びる関係上、種子１５の上に配置される基材は、特に網目が大きいものを採用したり、芽が出るための孔部を形成することが好ましい。
【００２９】
また、基材１７は、キャップ４の直径が約３０ｍｍ程度、深さが１０ｍｍ程度であることを考慮すれば、その直径は３０〜５０ｍｍ、深さ（高さ）は５ｍｍ〜２０ｍｍ程度であることが好ましい。
【００３０】
一方、種子１５は、例えば、スプラウト系の食用として適用可能な、カイワレ、ヒマワリ、ブロッコリー、マスタード、レッドキャベツなどが用いられることが好ましい。これら一例の種子は芽が出た段階で食用可能であり、キャップ４程度の基材１７でも十分栽培可能だからである。また、種子１５は、観賞用として適用可能な、芝、クローバー、コスモス、ラベンダー、カモミール、バジルなどを用いることもできる。
【００３１】
ここで、袋体１２に収容される基材１７と種子１５の内包例について説明する。例えば、基材１７と種子１５は、下記（１）〜（５）のような形態で袋体１２に内包される。        
【００３２】
（１）基材１７として２つのコットンを用意し、当該コットンを重ねて配置した２層のコットンの間に種子１５を内包する。（２）基材１７としてコットンを用意し、当該コットンの上に種子１５を設け、全体をポリマー溶液で包む。（３）基材１７としてスポンジ、厚みのある第１のコットン、シート状の第２のコットンを用意し、スポンジ、第１のコットン、第２のコットンの順に積層し、当該第１及び第２のコットンの間に種子１５を設ける。（４）基材１７としてコットンを用意し、当該コットンの上に種子１５を載置し、全体をオブラートで包む。（５）基材１７として２つのコットンを用意し、当該コットンを重ねて配置した２層のコットンの間に種子１５を内包し、全体をオブラートで包む。
【００３３】
また、植物栽培セット１０の内容物として、図示しないが、一定量の水を排出可能なスポイトを備えても良い。このようにすれば、容易に水を基材１７に含有させることが可能である。
【００３４】
さらに、植物栽培セット１０の内容物として、図３に示すように、キャップ４の下端部を支える支持体２０を備えても良い。支持体２０は、キャップ４の底面の直径よりも大きな基体２２を備え、当該当該基体２２には、キャップ４の下部を保持するための保持手段２３が形成されている。この保持手段２３は、例えば、キャップ４の底面とほぼ同じ大きさの開口を有する円筒部２４を備え、当該円筒部２４内にキャップ４の下部を嵌合させることで、キャップ４に着脱可能に取り付けられる。このようにすれば、種子が発芽し、芽が伸びた時に、その重量バランスの不具合によってキャップ４が転倒することを容易に防止することが可能である。
【００３５】
また、植物栽培セット１０の内容物として、図５に示すように、複数のキャップ４を連結させるための連結具３０を備えても良い。例えば、連結具３０は、図４（ａ）に示すように、直線状の基体３２を備え、当該基体３２の両端部には、キャップ４の周囲を弾性力により挟持するＵ字状の挟持部３２ａ、３２ａが形成されている。この基体３２を複数用いることにより、図５（ａ）に示すように、キャップを着脱可能に直線状に連結することが可能である。
【００３６】
当該基体３２の形状は、直線状に限られるものではなく、図４（ｂ）に示すように、基体３３は十字状であっても良いし、図４（ｃ）に示すように、基体３４は左右方向に湾曲していても構わない。
【００３７】
このように、十字状に設けられた基体３３の挟持部３３ａ、３３ａにキャップ４を取付けることにより、図５（ｂ）に示すように、キャップ４をひし形若しくは矩形状に並べることが可能である。また、図５（ｃ）に示すように、湾曲された基体３４を複数用いてそれぞれの基体３４の挟持部３４ａ、３４ａ（図４（ｃ）参照）にキャップ４を取付けることにより、キャップ４を円形状に並べることが可能である。
【００３８】
次に、植物栽培セット１０の活用方法について説明する。
【００３９】
ユーザは、図１に示すように、植物栽培セット１０が付いたペットボトル２の製品を買ったら、キャップ４を取り外し、当該キャップ４を裏返す。そして、図２に示すように、そのキャップ４内に、基材１７と種子１５を取り付け、当該基材１７に水を含有させる。
【００４０】
これにより、種子１５は自然に発芽するため、ユーザは容易に植物を育成できる。当該植物が食用であれば、芽が出たところで当該芽を摘んで食べることができる。また、観賞用の植物として育成する場合には、ある程度育ったところで当該基材１７ごと土壌に植え替えることで更なる植物の育成が可能である。当該基材１７が土壌分解性を有していれば、土壌にて分解され土へと還元される。一方、キャップ４は、使用後に自然団体に寄付することで世界中の子供たちにワクチンを提供することができる。
【００４１】
以上に説明したように、本実施形態の植物栽培セットは、キャップに種子を含む基材を取り付けて、水を当該基材に与えるだけで植物の栽培が容易にできる。その結果、いわゆる、土をいじる作業がなくなり、汚れや虫を嫌う人なども、大変手軽に植物の栽培を楽しめる。また、基材は役目を終えた後、土に戻すことである期間を経て土へと還るため、自然循環型のシステムを構築することが可能である。
【００４２】
なお、本願は本実施形態に限定されるものではなく、種々の形態にて実施することが可能である。例えば、長期に亘る保存によって種子から芽が出ることを考慮して、種子１５、又は種子１５と基材１７とを発芽の誘因となる水分等から遮断するために密閉しても構わない。また、本実施形態の植物栽培セット１０はペットボトル２の景品として販売したが、単体で販売しても構わない。さらに、基材として用いられる材料には、上記材料の他、一般に用いられる材料を適宜適用することが可能である。
【符号の説明】
【００４３】
２  ペットボトル
４  キャップ
１０  植物栽培セット
１５  種子
１７  基材
【図１】
0003150530.tif 000003
【図２】
0003150530.tif 000004
【図３】
0003150530.tif 000005
【図４】
0003150530.tif 000006
【図５】
0003150530.tif 000007